(57)【要約】  本発明は、乾燥チャンバー（２）に向かって推進させる空気推進手段（４ａ、４ｂ）により供給される高速空気のための入口（３６）；低摩擦係数で中空チャンバーを介して空気を運搬および分配する内部経路（３３）；および中空チャンバーの前方パネル（３１）に定められ、乾燥チャンバー（２）に導入され、その中の静止位置に維持された手の全表面をカバーするように、乾燥チャンバー中の穴（２１、２２）を介して同時に空気を噴射する複数の空気出口（３４）を装備した２つの中空チャンバー（３ａ、３ｂ）を含むケーシング（１）を備えたハンドドライヤーに関する。また、本発明のドライヤーは、乾燥チャンバーが起源である水を蒸発させるための装置（７）を備える。
2008516655.tif 000002
【特許請求の範囲】
【請求項１】
ケーシング（１）と、手を挿入するためのケーシングに組み込まれた乾燥チャンバー（２）と、室温で高速の空気を推進するための手段と、ユーザーが彼または彼女の手を乾燥チャンバー（２）に挿入した場合のドライヤーの自動作動のための存在または接近の検出器（６１）と、電子制御カード（６）と、乾燥中ユーザーの手から離れた水を回収するための手段と、乾燥チャンバー（２）の逆の壁に並べられた、少なくとも２つの空気出口とを備えてなるタイプであり、乾燥チャンバー（２）の前部壁と後部壁とに平行であり、互いに向かい合う前部プレートおよび後部プレート（３１、３２）の各ペアにより区分されるケーシングの内部に２つの扁平な中空チャンバー（３ａ、３ｂ）を備え；該中空チャンバー（３ａ、３ｂ）は、乾燥チャンバーの前部壁とケーシングとの間、および乾燥チャンバーの後部壁とケーシングとの間に、それぞれ配置され；中空チャンバー（３ａ、３ｂ）が、前記空気推進手段（４ａ、４ｂ）により推進された高速空気の入口のための口（３６）と、中空チャンバーの内部を介する低摩擦係数での空気の導入および分配のための該中空チャンバーの内部を介する空気の循環に際して渦の形成を最小限にする内部経路（３３）と、中空チャンバーの前部プレート（３１）に定められ、かつ挿入され、乾燥チャンバー（２）の内部に維持されたままのユーザーの手の全表面に、空気を同時に噴射する複数の空気出口開口部（３４）とを備えていることを特徴とするハンドドライヤー。
【請求項２】
該乾燥チャンバー（２）の向かい合う壁が、それらの全表面に分布した複数の開口部（２１、２２）を有することを特徴とする、前記請求項記載のシステム。
【請求項３】
該中空チャンバー（３ａ、３ｂ）の前部壁（３１）に定められた出口開口部（３４）が、乾燥チャンバー（２）の向かい合う壁に定められた各開口部（２１、２２）に向かい合うことを特徴とする、前記請求項のいずれかに記載のドライヤー。
【請求項４】
該中空チャンバー（３ａ、３ｂ）が、乾燥チャンバーの向かい合う壁の表面と同等または幾分小さい表面を有し、該空気出口開口部（２１、２２）が、該壁に水平および垂直の両方で分布されることを特徴とする、前記請求項のいずれかに記載のドライヤー。
【請求項５】
該中空チャンバー（３ａ、３ｂ）の前部プレート（３１）が、外面的に、空気出口開口部（３４）に対応して配置された管状拡張部（３５）を有し、該開口部（３４）が、該管状拡張部（３５）の間中、減少する区域を有することを特徴とする、前記請求項のいずれかに記載のドライヤー。
【請求項６】
ケーシング（１）の前部壁および後部壁と、乾燥チャンバー（２）の向かい合う壁と、中空チャンバー（３ａ、３ｂ）を形成するためのプレート（３１、３２）とが、重ねあわせまたはサンドウィッチタイプの連結のための補完的適合手段を有することを特徴とする、前記請求項のいずれかに記載のドライヤー。
【請求項７】
高速空気推進手段（４ａ、４ｂ）が、乾燥サイクルの最初に同時に動作し、該乾燥サイクルに際して引き続き同時に動き、乾燥チャンバー（２）に向かって出口開口部（３４）の全部を介して、高速空気を噴射することを特徴とする、前記請求項のいずれかに記載のドライヤー。
【請求項８】
該空気推進手段が、内部にケーシング（１）の内部に収納された２つのタービンモーター（４ａ、４ｂ）を備え、各入口（３６）の中空チャンバー（３ａ、３ｂ）に直接的に連結されることを特徴とする、前記請求項のいずれかに記載のドライヤー。
【請求項９】
該乾燥チャンバー（２）が、ケーシング（１）の前方領域に向かって垂直に、かつ側部に向かって、ドライヤーの前部に向かう発散方向で開き、ケーシング（１）の後部中央領域に向かって方向付けされた中間端部または頂部による、平面図上の「Ｖ」形状構造を有することを特徴とする、請求項１記載のドライヤー。
【請求項１０】
電子制御カード（６）により制御される低パワー電気抵抗器（７３）と、ケーシング（１）の外側にスチームを推進させるベンチレーター（７４）とを備える、乾燥チャンバー（２）からの水の蒸発のための蒸発装置（７）を備えることを特徴とする、前記請求項のいずれか１項に記載のシステム。
【請求項１１】
該電気抵抗器（７３）が、管状体（７１）内部に収納され、ケーシング（１）内部のかなり水平な位置に配置され、上方部分に、乾燥チャンバー（２）からの水を排出するためのドレインダクト（２４）の連結のための口（７２）を有することを特徴とする、請求項１０記載のシステム。
【請求項１２】
該ベンチレーター（７４）が、組み立てられる、該管状体（７１）の端部の口の１つに組み立てられ、ケーシング（１）の外側へストリームを出すための出口ダクト（７５）が、該管状体の向かい合う口に連結されることを特徴とする、請求項１０記載のシステム。
【請求項１３】
該抵抗器（７３）が、冷却用フィン（７７）を有する熱伝導スリーブ（７６）の内部に収納されることを特徴とする、請求項１０記載のシステム。
【請求項１４】
該管状体（７１）が、乾燥チャンバー（１１）からの水を微細液滴または粒子に分離するための上部口（７２）中のスクリーンまたは格子（７８）を有することを特徴とする、請求項１１記載のシステム。
【発明の詳細な説明】
【技術分野】
【０００１】
発明の目的
本発明は、ケーシングと、ケーシングに一体化された、手を挿入するための乾燥チャンバーと、室温において、高速で、空気を推進させるための手段と、ユーザーが、彼または彼女の手を該乾燥チャンバーに挿入した場合のドライヤーの自動作動のための存在または接近の検出器と、電子制御カードと、乾燥中、ユーザーの手から離れた水を回収するための手段と、該乾燥チャンバーの相対する前部壁および後部壁に配置されたそれぞれいくつかの出口を備える少なくとも２つの空気出口群とを備えるタイプのハンドドライヤーに関する。
【背景技術】
【０００２】
発明の背景
現在、ユーザーが、彼または彼女の手をその中に挿入し、該手を乾燥させることができるように、該ユーザーの手に空気を噴射するための出口を有する乾燥チャンバーを有する種々のハンドドライヤーが知られる。
【０００３】
特許文献ＤＥ５４８９９８は、前記チャンバーに挿入されたユーザーの手に空気を噴射するのに関与する２つのノズルが向かい合った位置に配置されるその端部および内部の１つにかなりの丸い乾燥チャンバー開口を有するハンドドライヤーを開示する。
【０００４】
本特許では、前記ノズルまたは出口は、小さな表面を有し、ユーザーは、手を乾燥させるために、彼または彼女の手を前記乾燥チャンバー内部で動かすことが求められる。また、空気ノズルまたは出口の垂直配向は、かなり水平な位置の乾燥チャンバーの内部に手が挿入され、ユーザーの手の上に存在する水を重力が除去することにおいて空気出口をアシストすることを妨げることを必然的に伴う。
【０００５】
特許文献ＧＢ２２４９０２６は、ユーザーの手を挿入するためのチャンバーを有するハンドドライヤーを開示する。当該チャンバーは、その側部の１つに、前記乾燥チャンバーの周りの被覆中空体により空気供給ダクトと連結される翼形状の細長い空気出口開口を有する。
【０００６】
本特許において、細長い形状の空気出口開口は、噴射された空気翼またはカーテンが、乾燥チャンバーに挿入された手の小さい表面に作用することに影響し、ユーザーが、彼または彼女の手を前記チャンバーの内部で動かし、彼または彼女の手の全表面を効率的に乾燥させることを要する。
【０００７】
特許文献ＵＳ４３３６６１９は、背下部領域に向かって傾き、手を挿入して洗浄し、乾燥させるための上方前部領域に口を備える作業筺体またはチャンバーを有する手洗浄乾燥装置を開示する。当該チャンバーは、上部の部分に、手を洗浄することを要される水の出口のための開口部と、推進手段が関連する空気出口とを有し、厳密には、ドライヤーを形成する。
【０００８】
本特許では、ユーザーは、手を洗浄し、ついで、乾燥させるために、彼または彼女の手を前記チャンバーの内部に挿入しなければならず、実際上非常に局部的な様式で、手の上への空気の噴射が先に議論した特許と同様の方法で行われ、ユーザーは、手を完全に乾燥させるために、チャンバーの内部で彼または彼女の手を動かすことを要し、この操作は、過剰な時間を必要とする。
【０００９】
特許文献ＥＰ０５８９５６８は、背下部領域に向かって傾き、かつ上方前部領域および側部に向かって開く、手の挿入ユニットを有し、該手の挿入ユニットが、乾燥ユニットの内部の傾いた位置に挿入されたユーザーの手の表面側および裏面側にそれぞれ空気カーテンを放射するための開口部の各配置で与えられる２つの前部および後部に出口を有するものであるハンドドライヤーを開示する。
【００１０】
この場合、前記特許文献ＵＳ４３３６６１９のように、前記ユーザーの手は、傾いた位置の乾燥ユニットに挿入され、その結果、重心が、前記チャンバーの下方の領域に向かって手の上にたまった水を除去することにほんのわずかな影響がある。また、記載された実施態様によると、特許ＥＰ０５８９５６８において、ユーザーの手の上への空気の噴射は、局部的な範囲で行なわれ、ユーザーが、前記乾燥ユニットの内部で彼または彼女の手を動かすことを要し、その結果、彼または彼女の手のいろいろな範囲に該空気が作用する。
【００１１】
前記文献のいくつかで、手の上への空気の噴射は、高圧で、循環する空気中に乱気流を生じさせ、乾燥チャンバーまたはユニットに向かって、空気出口速度を顕著に減少させるパイプにより、前記出口に連結されたタービンによって推進される。
【００１２】
また、前記ドライヤーの１つは、乾燥チャンバーまたはユニットの底に、ドレインに向かって（ＵＳ４３３６６１９）または水回収トレイに向かって（ＥＰ０５８９５６８）、ユーザーの手により離れた水を排出するためのドレイン管を有し、この第２のケースは、かなりの頻度で、手動で水回収トレイを空にすることを要する。
【００１３】
このトレイが、あるべきよりも頻繁に空にならないのであれば、そこに蓄積された水は、前記ドライヤーへのダメージおよび該ユーザーにまでいっぱいに広がる、連続するリスクを伴い、結局、下方の領域にオーバーフローするか、落下する羽目になる。
【発明の開示】
【００１４】
発明の説明
本発明のハンドドライヤー目的物は、室温で、同時に、ユーザーの手の表側および裏側全体への高速空気噴射を可能にすることを目的とする一連の構成上の特徴を有し、当該乾燥チャンバーは、これをうけて、該乾燥チャンバーの向かい合った壁の全表面に分布する複数の開口部を有する。
【００１５】
本発明の別の目的は、高速空気推進手段により与えられる空気を乾燥チャンバーの出口に導入することに関与するダクトが、循環空気流の速度の顕著な減少を引き起こすことを妨げることにあり、前記ドライヤーは、これをうけて、ケーシングの内部および乾燥チャンバーの向かい合った壁の反対側に配置された中空空気分配チャンバーを有し、該中空チャンバーのそれぞれは、前部および後部のプレートの各ペアにより形成されており、互いに向かい合い、サンドウィッチして互いを固定する。
【００１６】
当該中空チャンバーは、推進手段により供給された高速空気の入口のための口と、低摩擦係数の該中空チャンバーの内部を介する空気の導入および分配のための内部経路と、中空チャンバーのそれぞれの前部のプレートにおいて、乾燥チャンバーの向かい合う壁の各開口部に対して反対側に決められた複数の空気出口開口部とを備える。
【００１７】
相対的に扁平な構造を有する前記中空チャンバーは、高速空気推進手段により供給される空気が乾燥チャンバーの内部に向かって、該中空チャンバーにより直接的に導入されるように、乾燥チャンバーの向かい合った壁の表面と同等または幾分小さい表面を有する。
【００１８】
空気出口スピードを増加させるために、中空チャンバーの前部のプレートは、外面的に、該前部のプレートに決められた空気出口開口部に関連して配置された管状拡張部を有し、これらの開口部は、前記管状拡張部の内部に向かって徐々に減少する部分を有することが条件とされている。
【００１９】
当該中空チャンバーがそれぞれ乾燥チャンバーの内部に向かって空気を噴射するための複数の開口部を有することを考慮すると、前記空気推進手段が、ケーシングの内部に収納され、直接的に、かつ独立して、中空チャンバーのそれぞれの入口の口に連結された、それぞれ高速空気を各中空チャンバーに供給する２つのタービンモーターにより形成されることが条件とされている。
【００２０】
本発明の別の目的は、重力が手の全表面に噴射された空気をアシストし、乾燥プロセス中に、水が該手から容易に離れ、さらに、ユーザーが、彼または彼女の手を、心地のよい様式で、人間工学的な姿勢で、乾燥チャンバーの内部に挿入することを可能にするような、適切な構造を有する乾燥チャンバーを提供することにある。かかる目的のため、前記乾燥チャンバーは、垂直に置かれ、上方領域に向かって、かつ側部に向かって、ドライヤーの前部に向かう発散方向で開き、該乾燥チャンバーは、ケーシングの後方中央領域に向かって方向付けされた中間端部または頂部による、平面図での「Ｖ」形状構造を有する。乾燥チャンバーの垂直配向および平面図での「Ｖ」形状構造は、ユーザーが、彼または彼女の半ば曲がった腕を下方の前部領域に対して方向付けることにより、快適に彼または彼女の手を該チャンバーの内部に挿入することを可能にする。さらに、前部壁および後部壁は、手が最も太い場所である上方の領域に向かって、わずかに発散される。
【００２１】
述べられた特徴により、ドライヤーは、ケーシング内部に、ドレイン管によりアクセスされて、乾燥チャンバー内部のユーザーの手から離れた水を排出することができる引出し可能なトレイを有する。
【００２２】
任意に、前記回収トレイに蓄積された水を空にすることに関する問題を解決する目的のために、本発明は、前記トレイを、ドライヤーの電子制御カードにより制御された低容量電気抵抗器と、ケーシングの外側に向かって生じたスチームを推進させるベンチレーターとを含む、乾燥チャンバーから当該装置に入る水を蒸発させることに関与する蒸発装置に置き換えることを意図する。
【００２３】
請求項に含まれる本発明のこれらのおよび他の特徴は、以下に記載される添付図面を考慮して、より容易に理解されるであろう。
【００２４】
発明の好適な実施態様
添付の図で理解されうるように、ハンドドライヤーは、ユーザーが、彼または彼女の手を挿入するための乾燥チャンバー（２）が一体化されたケーシング（１）を備える。当該乾燥チャンバー（２）は、その上方領域および側部に垂直に開き、図６、８および９に見られるように、平面図で「Ｖ」形状の断面の形を定める。
【００２５】
乾燥チャンバーの前部壁および後部壁は、図７に見られるように、それらの全表面に、下方領域に向かって、わずかに傾いた複数の開口部（２１および２２）をそれぞれ有し、その結果、室温の高速空気を、ユーザーの手の全表面に噴射する。
【００２６】
２つの中空チャンバー（３ａおよび３ｂ）は、ケーシング内部に配置され、該中空チャンバーのそれぞれは、互いに向かい合い、かつ互いに固定された前部プレート（３１）と後部プレート（３２）とにより区分される；該中空チャンバー（３ａおよび３ｂ）は、乾燥チャンバーの前部壁および後部壁に向かい合う。
【００２７】
中空チャンバー（３ａおよび３ｂ）のそれぞれは、各タービンモーター（４ａ、４ｂ）により推進された高速空気の入口のための下方の口（３６）を有する。前記中空チャンバー（３ａおよび３ｂ）は、内面的に、特に、後部プレート（３２）に、該チャンバーの内部を介する空気の導入および分配のための低摩擦係数の経路（３３）を有し、中空チャンバー（３ａおよび３ｂ）それぞれの前部プレート（３１）は、複数の出口開口部（３４）を有する。
【００２８】
中空チャンバー（３ａおよび３ｂ）の前部プレート（３１）は、外面的に、開口部（３４）に対応して、その端部が乾燥チャンバーの前部壁および後部壁の開口部（２１および２２）に形を定める皿取り加工に合致する管状拡張部（３５）を有し、乾燥チャンバーの開口部（２１および２２）を有する空気出口開口部（３４）のセンタリングを確保する。
【００２９】
前記管状拡張部（３５）（図７）は、重力の助けで、ユーザーの手から迅速に水を離れさせる目的のために、下方領域に向かって、わずかに傾く。
【００３０】
中空チャンバー（３ａおよび３ｂ）を形成するプレート（３１および３２）のペアの組み立ては、重ね合わせることにより行なわれ、該中空チャンバーのそれぞれが乾燥チャンバーの対応する壁に、連結手段、例えば、突起部および開口部で固定され、図２に示されるように、スクリュー（５）により、当該位置に固定されうる。
【００３１】
中空チャンバーの前部プレート（３１）に定められた前記空気出口開口部（３４）は、乾燥チャンバー（２）に向かって導入される時点の空気循環の加速を決める管状拡張部（３５）の内部の徐々に減少する部分を有する。
【００３２】
前部および後部チャンバー（３ａおよび３ｂ）は、その内部を通して、低摩擦係数の高速空気の循環を可能にし、空気が、乾燥チャンバーの内部に向かって、同時に、１秒当たり５０〜６０メートルの速度で、出口開口部の全てを介して噴射される出口開口部（３４）の徐々に減少する区域と共に提供される。
【００３３】
中空チャンバー（３ａおよび３ｂ）に向かって空気を推進させ、同時に、乾燥チャンバーの開口部（２１および２２）全てを介して該空気を噴射することに関与する推進手段またはタービンモーター（４ａおよび４ｂ）は、乾燥チャンバー内部に配置されたいくつかの存在または接近の検出器（６１）が連結される電子カード（６）により制御される。
【００３４】
ユーザーが前記乾燥チャンバーに彼または彼女の手を挿入すれば、前記検出器（６１）は、前記電子カード（５）に、予め決められた時間または前記検出器（６１）が、乾燥チャンバー内部にユーザーの手をもはや検出しなくなるまで、同時に動作するタービンモーター（４ａおよび４ｂ）の同時の作動を引き起こすシグナルを送る。
【００３５】
乾燥サイクルの間、ユーザーの手から離れた水は、乾燥チャンバー（２）の底に向かう重力により、落下し、図２および８に理解されうるように、該チャンバーの側部の１つにある、最も低い部分に配置されたドレイン開口部を介して、ドレイン管（２４）に排出される。
【００３６】
図１及び６に示されるように、ドライヤーは、前記ドレイン管（２４）を介して、該トレイに入る水を回収するために、ケーシング内部に、引き出し可能なトレイ（２５）を有する。
【００３７】
任意に、かつ図２に示されるように、前記ドライヤーは、トレイ（２５）の代わりに、乾燥チャンバー（２）から水を蒸発させ、ステップの形式で、ドライヤーの外部に向けて水を放出することに関与する蒸発装置（７）をケーシング内部に有しうる。
【００３８】
図１０、１１および１２に示される例示において、前記蒸発装置（７）は、乾燥チャンバー（２）から該管状体に向かって水を導くことに関連するドレイン管（２４）の連結のための上部口（７２）を備えるケーシング（１）内部の傾いた位置に配置された管状体（７１）を備える。
【００３９】
電子制御プレート（６）に連結した電気抵抗器（７３）は、管状体（７１）内部に組み立てられる。管状体（７１）の逆の端部に、前記抵抗器（７３）により蒸発させた前記水を外部に向かって動かすことに関与するベンチレーター（７４）とスチームがケーシングの外側に移動される内部を介してエルボ（７５）とが外面的に組み立てられる。
【００４０】
任意に、かつ図１３の実施態様に示されるように、抵抗器（７３）は、抵抗器（７３）の熱変換を至適化するための冷却用フィン（７７）を備える熱導電スリーブ（７６）に収納されうる。
【００４１】
この場合、蒸発対象の水が、前記本体（７１）の内部へのアクセスを得る上部口（７２）が、乾燥チャンバーから水を分離して、微細液滴にするための格子またはスクリーン（７８）を内蔵し、該液滴がフィン（７７）に落下すれば、その蒸発が容易になることがもたらされうる。
【００４２】
本発明の本質ならびに好適な実施態様は、十分に述べられており、全ての意図および目的が、記載された要素の材料、形、大きさおよび配置は、以下に請求される本発明の本質的特徴の変化を必要としないものであれば、改変されてもよいことが、本明細書に記載される。
【図面の簡単な説明】
【００４３】
図面の説明
なされた説明を補足し、本発明の特徴の理解を容易にする目的のために、一連の図面が、以下に、説明的で限定されない特徴により描写されている本明細書に添付される。
【００４４】
【図１】図１は、垂直面で部分的に切断したハンドドライヤーの側面図を示し、乾燥チャンバーからの水を回収するための下方のトレイは、この場合に与えられる。
【図２】図２は、ケーシングの前部壁が除かれていて、乾燥チャンバーからの水を除去するための蒸発装置は、この場合に与えられるハンドドライヤーの正面図を示す。
【図３】図３は、乾燥チャンバーの向かい合った側部に配置され、前記乾燥チャンバーの内部に向かって、前記空気推進手段により与えられる空気を導入することを目的とする２つの中空チャンバーの分解斜視図を示す。
【図４】図４は、内部の空気入口と、中空チャンバーの内部を介する空気の導入および分配のための内部経路とが見られうる、前記中空チャンバーの１つの後部壁の斜視図を示す。
【図５】図５は、乾燥チャンバーを形成するケーシングの部分の斜視図を示す。
【図６】図６は、水回収トレイを備えたドライヤーの実施態様の斜視図を示す。
【図７】図７は、中空チャンバーの前部壁の管状拡張部の形状および乾燥チャンバーに定められた空気出口開口部を有する該管状拡張部の向かい合う位置が見られうる、ドライヤーの部分側面図を示す。
【図８】図８は、乾燥チャンバーの「Ｖ」形状の構造と上方領域に向かって該乾燥チャンバーの向かい合う壁の分岐とが見られうる、ドライヤーの上方平面図を示す。
【図９】図９は、操作中に、ドライヤーの内部に置かれたユーザーの手の位置が見られうる、ドライヤーの上方平面図を示す。
【図１０】図１０は、図２のドライヤーで用いられた水蒸発装置の斜視図を示す。
【図１１】図１１は、前述の図の垂直面で縦方向に切断された水蒸発装置の実施態様の立面図を示す。
【図１２】図１２は、ドライヤーの外側に向かって、スチームを推進させるのに関与するベンチレーターが見られうる、前記蒸発装置の側面図を示す。
【図１３】図１３は、電子抵抗器が熱伝導性スリーブに収納され、冷却用フィンを備える、垂直面で切断された蒸発装置の改良物の実施態様の立面図を示す。
【図１】
2008516655.tif 000003
【図２】
2008516655.tif 000004
【図３】
2008516655.tif 000005
【図４】
2008516655.tif 000006
【図５】
2008516655.tif 000007
【図６】
2008516655.tif 000008
【図７】
2008516655.tif 000009
【図８】
2008516655.tif 000010
【図９】
2008516655.tif 000011
【図１０】
2008516655.tif 000012
【図１１】
2008516655.tif 000013
【図１２】
2008516655.tif 000014
【図１３】
2008516655.tif 000015
【国際調査報告】
2008516655.tif 000016
2008516655.tif 000017
2008516655.tif 000018
2008516655.tif 000019
2008516655.tif 000020
2008516655.tif 000021